(57)【要約】 【課題】  表示パネルの色バランスの調整を行うことができる表示装置の提供。【解決手段】  この表示装置１は、ＲＧＢの各色についてそれぞれ複数のガンマ補正データを出力するガンマ補正データ出力回路１１ａと、複数のガンマ補正データを入力して保持する複数のレジスタ１２１乃至１２ｍと、複数のレジスタ１２１乃至１２ｍのデータをそれぞれアナログ電圧に変換してガンマ補正設定電圧ＶＩ１乃至ＶＩｍを出力する複数のＤ／Ａ変換器（ＤＡＣ）１３１乃至１３ｍと、を備えるガンマ補正回路５ａと、画像データを入力し、それに対応したガンマ補正設定電圧又はそれらの補間電圧を選択することにより、補正された画像電圧を出力するソースドライバ６と、ゲートドライバ８により１色からなる複数の表示素子が接続されるゲートラインが駆動され、ソースドライバ６の補正された画像電圧がソースラインに入力される表示パネル７と、を備える。【選択図】  図１
2005269110.tif 000002
【特許請求の範囲】
【請求項１】
表示素子の印加電圧と輝度との非線形の相関関係に応じて画像電圧を補正するためにガンマ補正設定電圧を出力するガンマ補正回路であって、
ＲＧＢの各色についてそれぞれ複数のガンマ補正データを出力するガンマ補正データ出力回路と、
複数のガンマ補正データを入力して保持する複数のレジスタと、
複数のレジスタのデータをそれぞれアナログ電圧に変換してガンマ補正設定電圧を出力する複数のＤ／Ａ変換器と、
を備えることを特徴とするガンマ補正回路。
【請求項２】
請求項１に記載されたガンマ補正回路において、
ガンマ補正データ出力回路は、ガンマ補正設定電圧調整時にＲＧＢの各色についてそれぞれ外部から入力した複数のガンマ補正データを出力し、ガンマ補正設定電圧調整後にはＲＧＢの各色についてそれぞれ複数のガンマ補正データを不揮発性メモリから取り出して出力するものであることを特徴とするガンマ補正回路。
【請求項３】
請求項１又は２に記載されたガンマ補正回路において、
ガンマ補正データ出力回路は、表示パネルの水平同期信号により順番にＲＧＢの各色についてそれぞれ複数のガンマ補正データを出力することを特徴とするガンマ補正回路。
【請求項４】
請求項１又は２に記載されたガンマ補正回路において、
前記複数のレジスタはＲＧＢの各色について設けられ、表示パネルの水平同期信号により順番に各色の複数のレジスタのデータが選択されてＤ／Ａ変換器に入力されることを特徴とするガンマ補正回路。
【請求項５】
請求項１又は２に記載されたガンマ補正回路において、
前記複数のレジスタ及び複数のＤ／Ａ変換器はＲＧＢの各色について設けられ、表示パネルの水平同期信号により順番に各色のガンマ補正設定電圧が選択されて出力されることを特徴とするガンマ補正回路。
【請求項６】
ＲＧＢの各色についてそれぞれ複数の表示素子が２次元に配列され、選択されたゲートラインに接続される複数の表示素子にソースラインの印加電圧が印加される表示パネルであって、
それぞれのゲートラインには１色からなる複数の表示素子が接続され、水平同期信号により順番に各色の複数の表示素子が接続されたゲートラインが選択されることを特徴とする表示パネル。
【請求項７】
請求項１乃至５のいずれかに記載されたガンマ補正回路と、
画像データを入力し、それに対応したガンマ補正設定電圧又はそれらの補間電圧を選択することにより、補正された画像電圧を出力するソースドライバと、
ゲートドライバによりゲートラインが駆動され、ソースドライバの補正された画像電圧がソースラインに入力される請求項６に記載された表示パネルと、
を備えることを特徴とする表示装置。
【発明の詳細な説明】
【技術分野】
【０００１】
本発明は、ガンマ補正回路、表示パネル及びそれらを備える液晶表示装置などの表示装置に関する。
【背景技術】
【０００２】
一般に、液晶表示装置などの表示装置の表示パネルにおいては、表示素子の印加電圧と輝度との間に非線形の相関関係、すなわちガンマ特性を有する。図５における実線の曲線Ａは、画像電圧（例えばＶ１又はＶｍ）を補正（ガンマ補正）することなくそのまま印加電圧とした場合の液晶の表示素子の特性、すなわちガンマ特性である。同図において、横軸は印加電圧、縦軸は相対的な輝度、すなわち液晶の光透過率である。今、画像電圧（例えばＶ１又はＶｍ）をガンマ補正することなくそのまま印加電圧としたならば、この非線形の相関関係に従うため、良好な画像を表示させることはできない。従って、良好な画像を表示させるためには、画像電圧と輝度が線形の相関関係である破線の直線Ｂに沿うよう、画像電圧（例えばＶ１又はＶｍ）をガンマ補正して得られる補正された画像電圧（例えばＶＩ１又はＶＩｍ）を印加電圧とすることが行われる。
【０００３】
このように液晶表示装置においてガンマ補正を行うガンマ補正回路として、例えば特許文献１、２、及び３に開示されたものが知られている。また、本願出願人は、これら特許文献に開示されたものを背景技術としたガンマ補正回路を特願２００２−３２６２６６号において提案している。図６に、特願２００２−３２６２６６号と同様のガンマ補正回路を有した液晶表示装置を示す。この液晶表示装置１０１は、ガンマ補正設定電圧ＶＩ１乃至ＶＩｍを出力するガンマ補正回路１０５ａと、ｎビット（例えば８ビット）の画像データＤｉを入力し、それに対応したガンマ補正設定電圧ＶＩ１乃至ＶＩｍ又は後述するそれらの補間電圧を選択することにより、補正された画像電圧Ｖｏを印加電圧としてソースライン毎に後述の表示パネル１０７に出力するソースドライバ６と、表示パネル１０７と、表示パネル１０７のゲートラインを駆動するゲートドライバ８と、ガンマ補正データを保存する不揮発性メモリ１０９と、を備える。
【０００４】
ガンマ補正回路１０５ａは、外部から入力端子ＳＤを介して入力されるシリアルのガンマ補正データを、ガンマ補正設定電圧ＶＩ１乃至ＶＩｍに相当するデジタルデータであるＬビット（例えば１０ビット）パラレルのガンマ補正データに変換して出力するガンマ補正データ出力回路１１１ａと、そのガンマ補正データを入力して保持するｍ個（例えば９個）のレジスタ１２１乃至１２ｍと、そのデータをアナログ電圧に変換して出力する、例えば８ビットのＤ／Ａ変換器（ＤＡＣ）１３１乃至１３ｍと、その出力の電流能力を上げガンマ補正設定電圧ＶＩ１乃至ＶＩｍとして出力するバッファ１４１乃至１４ｍと、を有して成る。また、ガンマ補正データ出力回路１１１ａは、ガンマ補正データを不揮発性メモリ１０９に保存し、必要に応じて不揮発性メモリ１０９から取り出す。
【０００５】
ソースドライバ６は、ガンマ補正回路１０５ａの出力であるガンマ補正設定電圧ＶＩ１乃至ＶＩｍのそれぞれの間、例えばＶＩ１とＶＩ２の間をｍ’個の抵抗で均等に補間して補間電圧を生成する抵抗ラダー１５と、ｎビットの画像データＤｉに従ってガンマ補正設定電圧ＶＩ１乃至ＶＩｍ又はそれらの補間電圧を選択して補正された画像電圧Ｖｏを出力するデコーダ１６と、を有して成る。画像電圧Ｖｏを入力する表示パネル１０７は、２ｎの階調を有することになる。すなわち、ｎを８とすれば、表示パネル１０７の階調は２５６となる。また、ｍ’の値は２ｎ／（ｍ−１）で求められる。すなわち、ｎを８、ｍを９とすれば、ｍ’は３２となる。例えば画像データＤｉの値が０ならば補正された画像電圧ＶｏはＶＩ１の電圧値となり、画像データＤｉの値が１６ならば補正された画像電圧ＶｏはＶＩ１とＶＩ２との中央の電圧値となる。
【０００６】
ガンマ補正設定電圧ＶＩ１乃至ＶＩｍは、表示パネル１０７の表示がリアルタイムに確認され、シリアルのガンマ補正データを外部から入力端子ＳＤを介してガンマ補正回路１０５ａに入力することで、適正になるよう調整される。調整が完了すれば、調整完了状態のガンマ補正データは不揮発性メモリ１０９に保存され、それ以降は不揮発性メモリ１０９に保存されたガンマ補正データが用いられる。
【０００７】
次に、特願２００２−３２６２６６号の別の実施形態と同様の構成要素を有した液晶表示装置を図７に示す。この液晶表示装置１０２は、前述の液晶表示装置１０１と実質的に同じ回路構成又は同じ構造であるソースドライバ６、表示パネル１０７、ゲートドライバ８、及び不揮発性メモリ１０９と、を備え、ガンマ補正回路１０５ａの換わりにそれと構成が異なるガンマ補正回路１０５ｂを備える。このガンマ補正回路１０５ｂは、ガンマ補正データ出力回路１１１ｂと、後述の水平ラインの奇数番／偶数番に対応するデータ用である２組のｍ個のレジスタ１２１ａ乃至１２ｍａ、１２１ｂ乃至１２ｍｂと、そのどちらかの組を選択して後述のＤ／Ａ変換器１３１乃至１３ｍに出力するセレクタ１１７１乃至１１７ｍと、表示パネル１０７の水平方向走査線（水平ライン）の同期信号である水平同期信号ＨＳを入力し、水平ラインの奇数番／偶数番に応じてセレクタ１１７１乃至１１７ｍの切換制御を行うセレクタ制御回路１１８と、Ｄ／Ａ変換器１３１乃至１３ｍと、バッファ１４１乃至１４ｍと、を備える。このガンマ補正回路１０５ｂは、ガンマ補正回路１０５ａの機能に加えて、水平ラインの奇数番／偶数番に応じてガンマ補正設定電圧ＶＩ１乃至ＶＩｍを高速に変えることができるので、例えば上下の水平ラインで正負の極性を反転するライン反転方式の駆動方法などに好適である。
【０００８】
次に、特願２００２−３２６２６６号の更に別の実施形態と同様の構成要素を有した液晶表示装置を図８に示す。この液晶表示装置１０３は、液晶表示装置１０１、１０２と実質的に同じ回路構成又は同じ構造である、ソースドライバ６、表示パネル１０７、ゲートドライバ８、及び不揮発性メモリ１０９と、を備え、ガンマ補正回路１０５ａ、１０５ｂの換わりにそれと構成が異なるガンマ補正回路１０５ｃを備える。このガンマ補正回路１０５ｃは、ガンマ補正データ出力回路１１１ｂと、水平ラインの奇数番／偶数番に対応するデータ用である２組のｍ個のレジスタ１２１ａ乃至１２ｍａ、１２１ｂ乃至１２ｍｂと、それらに直接に接続された２組のｍ個のＤ／Ａ変換器１３１ａ乃至１３ｍａ、１３１ｂ乃至１３ｍｂと、そのいずれかの組を選択して後述のバッファ１４１乃至１４ｍに出力するセレクタ１１７１乃至１１７ｍと、水平同期信号ＨＳによりセレクタ１１７１乃至１１７ｍの切換制御を行うセレクタ制御回路１１８と、バッファ１４１乃至１４ｍと、を備える。このガンマ補正回路１０５ｃは、ガンマ補正回路１０５ｂと同様に、例えば上下の水平ラインで正負の極性を反転するライン反転方式の駆動方法などに好適であるが、更に高速に水平ラインの奇数番／偶数番に応じてガンマ補正設定電圧ＶＩ１乃至ＶＩｍを変えることができるので、表示パネル１０７の水平ラインの周波数が高いものに更に好適である。
【０００９】
【特許文献１】特開平１０−１０８０４０号公報
【特許文献２】特開平１１−３２２３７号公報
【特許文献３】米国特許第５７９６３８４号明細書
【発明の開示】
【発明が解決しようとする課題】
【００１０】
このように、液晶表示装置１０１、１０２、及び１０３においては、個々の表示パネル１０７に合わせてガンマ補正設定電圧ＶＩ１乃至ＶＩｍを調整することで適正なガンマ補正が行われる。
【００１１】
ところで、近年、カラーの液晶表示装置が普及し、更なる表示の大画面化や高品質化が求められている。カラーの液晶表示装置の表示パネルは、図９（ａ）に示すように、ＲＧＢの各色についてそれぞれ複数の表示素子が２次元に配列され、列方向にＲ色（赤）、Ｇ色（緑）、Ｂ色（青）の順にストライプ状に配列されている。同図（ｂ）は（ａ）の配列図に対応する回路図である。１つの行の表示素子は、１つのゲートラインＧｉ（又はＧｉ＋１等）に接続され、Ｒ色、Ｇ色、Ｂ色の順に設けられている。１つの列の表示素子は、１つのソースラインＳｊ（又はＳｊ＋１等）に接続され、ＲＧＢの内の１色からなっている。
【００１２】
そして、良好な画像の表示のためには、ＲＧＢの各色について輝度のバランス、すなわち色バランスを取り、特定の色にシフトしないようにする。しかし、表示パネルを製造する際にバックライト又はカラーフィルタなどの特性ずれにより色バランスが崩れた場合には、僅かに特定の色にシフトして例えば画像全体に青みがかるなどの現象が起こる。本願発明者は、表示の大画面化の進展をも考慮し、更なる画像の高品質化を図るため、上記した現象を抑える表示パネルの色バランスの調整を比較的簡単に行う手段を検討し、ガンマ補正回路と表示パネルを改良することに着目した。
【００１３】
本発明は、上記事由に鑑みてなしたもので、その目的とするところは、表示パネルの色バランスの調整を行うことができるガンマ補正回路、表示パネル及びそれらを備える表示装置を提供することにある。
【課題を解決するための手段】
【００１４】
上記の課題を解決するために、請求項１に係るガンマ補正回路は、表示素子の印加電圧と輝度との非線形の相関関係に応じて画像電圧を補正するためにガンマ補正設定電圧を出力するガンマ補正回路であって、ＲＧＢの各色についてそれぞれ複数のガンマ補正データを出力するガンマ補正データ出力回路と、複数のガンマ補正データを入力して保持する複数のレジスタと、複数のレジスタのデータをそれぞれアナログ電圧に変換してガンマ補正設定電圧を出力する複数のＤ／Ａ変換器と、を備えることを特徴とする。
【００１５】
請求項２に係るガンマ補正回路は、請求項１に記載されたガンマ補正回路において、ガンマ補正データ出力回路は、ガンマ補正設定電圧調整時にＲＧＢの各色についてそれぞれ外部から入力した複数のガンマ補正データを出力し、ガンマ補正設定電圧調整後にはＲＧＢの各色についてそれぞれ複数のガンマ補正データを不揮発性メモリから取り出して出力するものであることを特徴とする。
【００１６】
請求項３に係るガンマ補正回路は、請求項１又は２に記載されたガンマ補正回路において、ガンマ補正データ出力回路は、表示パネルの水平同期信号により順番にＲＧＢの各色についてそれぞれ複数のガンマ補正データを出力することを特徴とする。
【００１７】
請求項４に係るガンマ補正回路は、請求項１又は２に記載されたガンマ補正回路において、前記複数のレジスタはＲＧＢの各色について設けられ、表示パネルの水平同期信号により順番に各色の複数のレジスタのデータが選択されてＤ／Ａ変換器に入力されることを特徴とする。
【００１８】
請求項５に係るガンマ補正回路は、請求項１又は２に記載されたガンマ補正回路において、前記複数のレジスタ及び複数のＤ／Ａ変換器はＲＧＢの各色について設けられ、表示パネルの水平同期信号により順番に各色のガンマ補正設定電圧が選択されて出力されることを特徴とする。
【００１９】
請求項６に係る表示パネルは、ＲＧＢの各色についてそれぞれ複数の表示素子が２次元に配列され、選択されたゲートラインに接続される複数の表示素子にソースラインの印加電圧が印加される表示パネルであって、それぞれのゲートラインには１色からなる複数の表示素子が接続され、水平同期信号により順番に各色の複数の表示素子が接続されたゲートラインが選択されることを特徴とする。
【００２０】
請求項７に係る表示装置は、請求項１乃至５のいずれかに記載されたガンマ補正回路と、画像データを入力し、それに対応したガンマ補正設定電圧又はそれらの補間電圧を選択することにより、補正された画像電圧を出力するソースドライバと、ゲートドライバによりゲートラインが駆動され、ソースドライバの補正された画像電圧がソースラインに入力される請求項６に記載された表示パネルと、を備えることを特徴とする。
【発明の効果】
【００２１】
本発明のガンマ補正回路は、ＲＧＢの各色についてそれぞれ複数のガンマ補正データを出力するガンマ補正データ出力回路を設けたので、ゲートラインに１色からなる複数の表示素子が接続された表示パネルと共に用いられることにより、ＲＧＢの各色についてガンマ補正をすることができ、もって表示パネルの色バランスの調整を行うことができる。また、本発明の表示パネルは、それぞれのゲートラインには１色からなる複数の表示素子が接続され、水平同期信号により順番に各色の複数の表示素子が接続されたゲートラインが選択されるようにしたので、本発明のガンマ補正回路によりＲＧＢの各色についてガンマ補正をすることで、色バランスの調整を行うことができる。そして、このガンマ補正回路及び表示パネルを備えた本発明の表示装置は、特定の色へのシフトがない良好な画像の表示が可能となる。
【発明を実施するための最良の形態】
【００２２】
以下、本発明の最良の実施形態を図面を参照しながら説明する。図１は本発明の実施形態である液晶表示装置１の回路図である。この液晶表示装置１は、液晶の表示素子の印加電圧と輝度との間にある非線形の相関関係に応じて画像電圧を補正するためのガンマ補正設定電圧ＶＩ１乃至ＶＩｍを出力するガンマ補正回路５ａと、ｎビット（例えば８ビット）の画像データＤｉを入力し、それに対応したガンマ補正設定電圧ＶＩ１乃至ＶＩｍ又はそれらの補間電圧を選択することにより、補正された画像電圧Ｖｏを印加電圧としてソースライン毎に後述の表示パネル７に出力するソースドライバ６と、カラーの液晶の表示素子を有する表示パネル７と、表示パネル７のゲートラインを駆動するゲートドライバ８と、ガンマ補正データを保存する不揮発性メモリ９と、を備える。ここで、ソースドライバ６、及びゲートドライバ８は、前述の液晶表示装置１０１と実質的に同じ回路構成のものである。
【００２３】
ガンマ補正回路５ａは、外部から入力端子ＳＤを介してＲＧＢの各色について順次入力されるシリアルのガンマ補正データを、ガンマ補正設定電圧ＶＩ１乃至ＶＩｍに相当するデジタルデータであるＬビット（例えば１０ビット）のパラレルのガンマ補正データに変換して出力するガンマ補正データ出力回路１１ａと、そのガンマ補正データを入力して保持するｍ個（例えば９個）のレジスタ１２１乃至１２ｍと、そのデータをアナログ電圧に変換して出力する、例えば８ビットのＤ／Ａ変換器（ＤＡＣ）１３１乃至１３ｍと、その出力の電流能力を上げガンマ補正設定電圧ＶＩ１乃至ＶＩｍとして出力するバッファ１４１乃至１４ｍと、を有して成る。また、ガンマ補正データ出力回路１１ａは、ガンマ補正設定電圧ＶＩ１乃至ＶＩｍを調整するときに、外部から入力端子ＳＤを介してＲＧＢの各色について順次入力されるシリアルのガンマ補正データをパラレルのガンマ補正データに変換してレジスタ１２１乃至１２ｍに出力するとともに、ＲＧＢの各色についてガンマ補正データ、すなわちＲガンマ補正データ、Ｇガンマ補正データ、及びＢガンマ補正データを不揮発性メモリ９に保存する。そして、ガンマ補正データ出力回路１１ａは、ガンマ補正設定電圧ＶＩ１乃至ＶＩｍの調整をした後は、表示パネル７の水平同期信号ＨＳにより順番にＲＧＢの各色について不揮発性メモリ９に保存したガンマ補正データを取り出してレジスタ１２１乃至１２ｍに出力する。
【００２４】
表示パネル７は、図２（ａ）に示すように、ＲＧＢの各色についてそれぞれ複数の表示素子が２次元に配列され、行方向にＲ色、Ｇ色、Ｂ色の順にストライプ状に配列されている。同図（ｂ）は（ａ）の配列図に対応する回路図である。それぞれの行、すなわちそれぞれのゲートラインＧｉ（又はＧｉ＋１等）には、ＲＧＢの内の１色からなる複数の表示素子が接続されている。１つの列、すなわち１つのソースラインＳｊ（又はＳｊ＋１等）には、Ｒ、Ｇ、Ｂの順に複数の表示素子が接続されている。この表示パネル７は、水平同期信号ＨＳにより順番に各色の複数の表示素子が接続されたゲートラインＧｉ（又はＧｉ＋１等）がゲートドライバ８により選択され、その選択されたゲートラインＧｉ（又はＧｉ＋１等）に接続される複数の表示素子にソースラインＳｊ（又はＳｊ＋１等）の印加電圧が印加される。
【００２５】
次に、ガンマ補正設定電圧ＶＩ１乃至ＶＩｍを調整するときと調整した後の動作を説明する。まず、ガンマ補正設定電圧ＶＩ１乃至ＶＩｍを調整するときについて説明する。例えば、ガンマ補正回路５ａに水平同期信号ＨＳに同期してＲ色の複数のガンマ補正データが入力されると、そのガンマ補正データに対応するＲ色のガンマ補正設定電圧ＶＩ１乃至ＶＩｍが出力される。そのガンマ補正設定電圧ＶＩ１乃至ＶＩｍにより補正されたＲ色の画像電圧Ｖｏがソースドライバ６から印加電圧として表示パネル７に出力される。ここで重要なのは、このとき、表示パネル７においてＲ色の表示素子が接続されたゲートラインが選択されていることである。つまり、Ｒ色の表示素子には、ガンマ補正回路５ａに入力されたＲ色のガンマ補正データに対応するＲ色のガンマ補正設定電圧ＶＩ１乃至ＶＩｍにより補正されたＲ色の画像電圧が印加される。そして、次の水平同期信号ＨＳに同期してＧ色の複数のガンマ補正データがガンマ補正回路５ａに入力され、それに対応するＧ色のガンマ補正設定電圧ＶＩ１乃至ＶＩｍにより補正されたＧ色の画像電圧がＧ色の表示素子に印加される。Ｂ色についても同様の動作が行われ、ＲＧＢの各色についてこれらの動作が繰り返される。以上のようにして、ＲＧＢの各色についてガンマ補正が行われ、表示パネル７の表示がリアルタイムに確認されながら、外部からのガンマ補正データ値が変えられ、ガンマ補正設定電圧ＶＩ１乃至ＶＩｍが適正になるよう調整が行われる。
【００２６】
調整が完了すれば、調整完了状態のガンマ補正データは不揮発性メモリ９に保存され、それ以降は不揮発性メモリ９に保存されたガンマ補正データが用いられる。ここで、不揮発性メモリ９に保存されるガンマ補正データは、ＲＧＢの各色についてのガンマ特性に対応したものとなっている。なお、ガンマ補正データの不揮発性メモリ９への保存は、調整完了のときだけではなく、新たなガンマ補正データを外部から入力する度に行っても良い。
【００２７】
ＲＧＢの各色についてガンマ補正設定電圧ＶＩ１乃至ＶＩｍを調整した以降は、不揮発性メモリ９に保存したガンマ補正データを用いるのであるが、この場合、不揮発性メモリ９に保存したガンマ補正データの取り出しは、水平同期信号ＨＳにより順番にＲＧＢの各色について行う。そして、例えば、水平同期信号ＨＳを受けてＲ色のガンマ補正データが取り出されると、そのデータは、レジスタ１２１乃至１２ｍに出力され、Ｄ／Ａ変換器１３１乃至１３ｍによりアナログ電圧に変換され、バッファ１４１乃至１４ｍを介してＲ色のガンマ補正設定電圧ＶＩ１乃至ＶＩｍとして出力される。そのガンマ補正設定電圧ＶＩ１乃至ＶＩｍにより補正されたＲ色の画像電圧Ｖｏがソースドライバ６から印加電圧として表示パネル７に出力され、このとき、上記調整時と同様に、表示パネル７においてＲ色の表示素子が接続されたゲートラインが選択されている。Ｇ色、Ｂ色についても同様の動作が行われ、ＲＧＢの各色についてこれらの動作が繰り返される。以上のようにして、ＲＧＢの各色についてガンマ補正が適正に行われる。
【００２８】
このようにして、このガンマ補正回路５ａは、ＲＧＢの各色についてガンマ補正をすることができ、もって表示パネルの色バランスの調整を行うことができる。また、表示パネル７は、それぞれのゲートラインには１色からなる複数の表示素子が接続され、水平同期信号ＨＳにより順番に各色の複数の表示素子が接続されたゲートラインが選択されるようにしたので、ガンマ補正回路５ａによりＲＧＢの各色についてガンマ補正をすることで、色バランスの調整を行うことができる。そして、このガンマ補正回路５ａ及び表示パネル７を備えた液晶表示装置１は、特定の色へのシフトがない良好な画像の表示が可能となる。
【００２９】
次に、本発明の別の実施形態である液晶表示装置２を図３に基づいて説明する。この液晶表示装置２は、消費電流抑制の観点から上記の液晶表示装置１を改良したものである。
この液晶表示装置２は、液晶表示装置１と実質的に同じ回路構成又は同じ構造であるソースドライバ６、表示パネル７、ゲートドライバ８、及び不揮発性メモリ９と、を備え、ガンマ補正回路５ａの換わりにそれと構成が異なるガンマ補正回路５ｂを備える。このガンマ補正回路５ｂは、ガンマ補正データ出力回路１１ｂと、ＲＧＢの各色について設けられた３組のｍ個のレジスタ１２１Ｒ乃至１２ｍＲ、１２１Ｇ乃至１２ｍＧ、１２１Ｂ乃至１２ｍＢと、そのいずれかの組を選択して後述のＤ／Ａ変換器１３１乃至１３ｍに出力するセレクタ１７１乃至１７ｍと、水平同期信号ＨＳにより順番にセレクタ１７１乃至１７ｍの切換制御を行うセレクタ制御回路１８と、Ｄ／Ａ変換器１３１乃至１３ｍと、バッファ１４１乃至１４ｍと、を備える。
【００３０】
このガンマ補正回路５ｂは、電源投入時にＲＧＢの各色について全てのガンマ補正データを不揮発性メモリ９から取り出し、それらを３組のレジスタ１２１Ｒ乃至１２ｍＲ、１２１Ｇ乃至１２ｍＧ、１２１Ｂ乃至１２ｍＢに保持させる。このＲＧＢの各色について保持されたデータは、水平同期信号ＨＳにより順番に選択されてＤ／Ａ変換器１３１乃至１３ｍに入力され、アナログ電圧に変換され、バッファ１４１乃至１４ｍを介してガンマ補正設定電圧ＶＩ１乃至ＶＩｍとして出力される。このように、この液晶表示装置２は、上記の液晶表示装置１では不揮発性メモリ９に保存したガンマ補正データの取り出し、すなわち不揮発性メモリ９へのアクセスが水平同期信号ＨＳ毎に行われるのに対し、不揮発性メモリ９へのアクセスは電源投入時だけとなりその回数が大幅に減少させられて消費電流を抑制することができる。
【００３１】
次に、本発明の更に別の実施形態である液晶表示装置３を図４に基づいて説明する。この液晶表示装置３は、上記の液晶表示装置１及び２と実質的に同じ回路構成又は同じ構造である、ソースドライバ６、表示パネル７、ゲートドライバ８、及び不揮発性メモリ９と、を備え、ガンマ補正回路５ａ又は５ｂの換わりにそれらと構成が異なるガンマ補正回路５ｃを備える。このガンマ補正回路５ｃは、ガンマ補正データ出力回路１１ｂと、ＲＧＢの各色について設けられた３組のｍ個のレジスタ１２１Ｒ乃至１２ｍＲ、１２１Ｇ乃至１２ｍＧ、１２１Ｂ乃至１２ｍＢと、それらに直接に接続された３組のｍ個のＤ／Ａ変換器１３１Ｒ乃至１３ｍＲ、１３１Ｇ乃至１３ｍＧ、１３１Ｂ乃至１３ｍＢと、そのいずれかの組を選択して後述のバッファ１４１乃至１４ｍに出力するセレクタ１７１乃至１７ｍと、水平同期信号ＨＳにより順番にセレクタ１７１乃至１７ｍの切換制御を行うセレクタ制御回路１８と、バッファ１４１乃至１４ｍと、を備える。
【００３２】
このガンマ補正回路５ｃは、電源投入時にＲＧＢの各色について全てのガンマ補正データを不揮発性メモリ９から取り出し、それらを３組のレジスタ１２１Ｒ乃至１２ｍＲ、１２１Ｇ乃至１２ｍＧ、１２１Ｂ乃至１２ｍＢに保持させ、Ｄ／Ａ変換器１３１Ｒ乃至１３ｍＲ、１３１Ｇ乃至１３ｍＧ、１３１Ｂ乃至１３ｍＢによりＲＧＢの各色についてのアナログ電圧に変換しておく。このＲＧＢの各色についてのアナログ電圧は、水平同期信号ＨＳにより順番に選択されてバッファ１４１乃至１４ｍに入力され、ガンマ補正設定電圧ＶＩ１乃至ＶＩｍとして出力される。従って、このガンマ補正回路５ｃは、液晶表示装置３の消費電流を抑制すると共に、すでにアナログ電圧に変換しているので高速にガンマ補正設定電圧ＶＩ１乃至ＶＩｍを切り換えることができる。よって、表示パネル７の水平ラインの周波数が高く高速処理を要求されるものに好適である。
【００３３】
なお、以上のガンマ補正回路５ａ、５ｂ、及び５ｃにおいて、Ｄ／Ａ変換器（ＤＡＣ）の電流出力能力が十分ならば、バッファ１４１乃至１４ｍを省略することも可能である。
【００３４】
また、本実施形態では液晶表示装置を説明したが、本発明のガンマ補正回路、表示パネル、及び表示装置は、これに限らず、ガンマ補正が必要な表示装置（例えば有機ＥＬ表示装置）に適用することが可能である。
【図面の簡単な説明】
【００３５】
【図１】本発明の実施形態に係る表示装置の回路図。
【図２】同上の表示パネルを示すもので、（ａ）はＲＧＢの表示素子の配列図。（ｂ）はそれに対応する回路図。
【図３】本発明の別の実施形態に係る表示装置の回路図。
【図４】本発明の更に別の実施形態に係る表示装置の回路図。
【図５】ガンマ特性図。
【図６】背景技術の表示装置の回路図。
【図７】背景技術の別の表示装置の回路図。
【図８】背景技術の更に別の表示装置の回路図。
【図９】背景技術のカラーの表示パネルを示すもので、（ａ）はＲＧＢの表示素子の配列図。（ｂ）はそれに対応する回路図。
【符号の説明】
【００３６】
１、２、３  液晶表示装置（表示装置）
５ａ、５ｂ、５ｃ  ガンマ補正回路
６  ソースドライバ
７  表示パネル
８  ゲートドライバ
９  不揮発性メモリ
１１ａ、１１ｂ  ガンマ補正データ出力回路
１２１乃至１２ｍ  ガンマ補正回路５ａにおけるレジスタ
１２１Ｒ乃至１２ｍＲ  ガンマ補正回路５ｂ、５ｃにおけるＲ色のレジスタ
１２１Ｇ乃至１２ｍＧ  ガンマ補正回路５ｂ、５ｃにおけるＧ色のレジスタ
１２１Ｂ乃至１２ｍＢ  ガンマ補正回路５ｂ、５ｃにおけるＢ色のレジスタ
１３１乃至１３ｍ  ガンマ補正回路５ａ、５ｂにおけるＤ／Ａ変換器
１３１Ｒ乃至１３ｍＲ  ガンマ補正回路５ｃにおけるＲ色のＤ／Ａ変換器
１３１Ｇ乃至１３ｍＧ  ガンマ補正回路５ｃにおけるＧ色のＤ／Ａ変換器
１３１Ｂ乃至１３ｍＢ  ガンマ補正回路５ｃにおけるＢ色のＤ／Ａ変換器
【図１】
2005269110.tif 000003
【図２】
2005269110.tif 000004
【図３】
2005269110.tif 000005
【図４】
2005269110.tif 000006
【図５】
2005269110.tif 000007
【図６】
2005269110.tif 000008
【図７】
2005269110.tif 000009
【図８】
2005269110.tif 000010
【図９】
2005269110.tif 000011